(57)【要約】【課題】左右の吹き出し風量は同程度とした構造において、乗客に直接調和空気を当てず不快感の発生を防止可能な車両空調システム、及びこれを備えた鉄道車両を提供する。【解決手段】車体中心位置１０と通路中心位置１１とが異なる車体に設置され、空調装置３０を有する車両空調システム１０１，１０２であって、車幅方向の車体両側に配置され同等風量の調和空気を車内へ吹き出す第１及び第２の吹出口１１１，１１２と、この第１及び第２の吹出口から吹き出される各気流の合流位置１１５を、車体中心位置と通路中心位置とを結ぶ線分を２０：８０〜８６：１４の比に内分する位置に設定する整風部材１２０とを備えた。【選択図】図２
2014125166.tif 000002
【特許請求の範囲】
【請求項１】
車幅方向において通路を挟んで左右で座席数が異なることで車体中心位置と通路中心位置とが異なる車体において、客室内空気を吸引して温度調整した調和空気を客室内へ送り込む空調装置を有する車両空調システムであって、
車体中心位置に対して左右対称の位置に配置され、略同等風量の調和空気を車内へ吹き出す第１及び第２の吹出口と、
この第１及び第２の吹出口から吹き出される各気流の合流位置を、上記車体中心位置と上記通路中心位置とを結ぶ線分を内分する位置に設定する整風部材と、
を備えたことを特徴とする車両空調システム。
【請求項２】
上記合流位置は、上記車体中心位置と上記通路中心位置とを結ぶ線分を２０：８０〜８６：１４の比に内分する位置である、請求項１に記載の車両空調システム。
【請求項３】
上記整風部材は、上記吹出口に配置した整風板であり、水平面に対するその配置角度、空気吹出方向における整風板の長さ、整風板の厚さ、及び整風板の枚数の少なくとも一つを、上記第１及び第２の吹出口で異ならせて上記合流位置を設定する、請求項１又は２に記載の車両空調システム。
【請求項４】
上記車体の左右両側に、客室に向けて突出し、車長方向に延びる荷棚をさらに備え、
上記第１及び第２の吹出口は、上記各荷棚の上面から客室天井部の位置であって、上記車体中心位置を中心として車幅方向において対称位置に配置される、請求項１から３のいずれかに記載の車両空調システム。
【請求項５】
上記車体の左右両側に、客室に向けて突出し、車長方向に延びる荷棚をさらに備え、
上記第１及び第２の吹出口は、上記各荷棚の下側に配置され、
上記整風部材は、上記各荷棚であり、一方の荷棚は、他方の荷棚と異なる形状の下面を有する、請求項１に記載の車両空調システム。
【請求項６】
上記車体の左右両側に、客室に向けて突出し、車長方向に延びる荷棚をさらに備え、
上記第１及び第２の吹出口は、上記各荷棚の下側に配置され、
上記整風部材は、左右一方の荷棚の下面に設けられ、下方に向けた突起である、請求項１に記載の車両空調システム。
【請求項７】
通路を挟んだ座席の下部に配置され、通路中心位置からの距離が略等しい少なくとも２つの客室内空気吸引口をさらに備える、請求項１から６のいずれかに記載の車両空調システム。
【請求項８】
請求項１から７のいずれかに記載の車両空調システムを備えたことを特徴とする鉄道車両。
【発明の詳細な説明】
【技術分野】
【０００１】
本発明は、例えば鉄道車両、航空機、船舶、バスなどの大型車両等に設置される車両空調システム、及びこれを備えた鉄道車両に関する。
【背景技術】
【０００２】
例えば鉄道車両等における空調では、空調装置によって吸引口を介して客室内空気が吸引され、温度調整された空気が調和空気として車体左右側あるいは天井の左右側に設けた吹出口より客室内に吹き出される。このとき、車体の左右両側の吹出口から客室内へ吹き出した調和空気は、車幅方向における車両中心部で合流し、車両中心部にて下降気流となり送風される。
このように車両中心部で下降気流が発生する場合、車両中心部に通路が位置する車両では問題は生じないが、車両の左右で、例えば３列席と２列席のように、座席数が異なる車両では、３列席における通路席の乗客に下降気流があたってしまう。人体に不快感を与える気流をドラフトと呼ぶが、客室内ではドラフトの発生を防止するため、客室内の風速をある程度以下に抑制することが必要である。
【０００３】
このようなドラフト発生防止を図る従来技術として、例えば３列席と２列席のように左右での座席数が異なる車両の場合を想定した、例えば特許文献１の技術がある。この発明は、車両中心とは異なる通路上に下降気流を発生させるために、左右での吹き出し風量比を任意に調整するという技術であり、３列席側と２列席側との風量比を５４：４６に設定したときが最も良いとしている。
【先行技術文献】
【特許文献】
【０００４】
【特許文献１】日本国特許第４２０６２９８号明細書
【発明の概要】
【発明が解決しようとする課題】
【０００５】
上述のような従来技術にて、左右の吹き出し風量を調整するためには、下記１又は２のような構成あるいは方法を採る必要がある。即ち、
１．左右で異なるダクト構成にする、
２．左右で同じダクト構成としたときには、
Ａ）左右のダクトに対して１台の送風機で送風を行う場合には、風量を減らしたい側のダクトあるいは吹出口に、絞りなどの抵抗部材を付加する、
Ｂ）左右のダクトに対して２台以上の送風機を１台のモータで駆動して使用する場合には、同一回転で性能の異なる送風機を使用する、同一回転で性能の等しい送風機を使用し各回転数を異ならせる、又は、風量を減らしたい側のダクトあるいは吹出口に、絞りなどの抵抗部材を付加する、
Ｃ）左右のダクトに対して２台以上の送風機を２台以上のモータで駆動して使用する。
【０００６】
しかしながら、このような左右の吹き出し風量を調整する手法は、以下の問題を発生させる。
即ち、左右で異なるダクトあるいは送風機を使用する場合には、空調関係の製造部品種類の増加、及び施工時において左右での取り付けミス発生の恐れ、が生じ得る。また、絞りなど抵抗部材を付加する場合には、騒音発生の恐れが生じる。１台のモータにて同軸で２台の送風機を駆動する場合に各回転数を異ならせるには、変速機が必要となる。さらに、モータを２台以上使用する場合には機器数が増加する。いずれの場合も部品点数及び設置スペースの増加、などが考えられる。
これらはいずれも、コスト、性能、及び設置スペースの観点において不利である。
【０００７】
本発明はこのような問題点を解決するためになされたもので、左右の吹き出し風量は同程度とした構造において、乗客に直接調和空気を当てず不快感の発生を防止可能な車両空調システム、及びこれを備えた鉄道車両を提供することを目的とする。
【課題を解決するための手段】
【０００８】
上記目的を達成するため、本発明は以下のように構成する。
即ち、本発明の第１態様における車両空調システムは、車幅方向において通路を挟んで左右で座席数が異なることで車体中心位置と通路中心位置とが異なる車体において、客室内空気を吸引して温度調整した調和空気を客室内へ送り込む空調装置を有する車両空調システムであって、
車体中心位置に対して左右対称の位置に配置され、略同等風量の調和空気を車内へ吹き出す第１及び第２の吹出口と、
この第１及び第２の吹出口から吹き出される各気流の合流位置を、上記車体中心位置と上記通路中心位置とを結ぶ線分を内分する位置に設定する整風部材と、
を備えたことを特徴とする。
【０００９】
車幅方向における車体両側に配置した第１及び第２の吹出口は、それぞれ同程度の風量を車内へ吹き出すことから、ダクト及び送風機に関してコスト、性能、及び設置スペースにおいて不利な点は発生しない。また、車幅方向において車体中心位置と通路中心位置とが異なる車体では、単に、通路中心位置で両気流を合流させると、車体中心から通路中心側へ流れる気流の方が強くなる傾向があり、通路側座席の乗客に、上述の強い方の気流があたる場合がある。しかしながら本第１態様では、整風部材を備えたことで、第１及び第２の吹出口から吹き出される各気流の合流位置を、車体中心位置と通路中心位置とを結ぶ線分を内分する位置、例えば通路中心よりもわずかに車体中心側へ配置することができる。したがって、左右いずれの通路側座席の乗客にも、直接調和空気は当たらず、不快感の発生を防止することができる。
【００１０】
また、本発明の第２態様における鉄道車両は、上述の第１態様の車両空調システムを備えたことを特徴とする。
【発明の効果】
【００１１】
本発明の第１態様における車両空調システム、及び第２態様の鉄道車両によれば、左右の吹き出し風量は同程度とした構造において、乗客に直接調和空気を当てず不快感の発生を防止することができる。
【図面の簡単な説明】
【００１２】
【図１】実施形態１の車両空調システムの一例における概略構成を示す図である。
【図２】図１に示す整風板の作用を説明するための図である。
【図３Ａ】図１に示す一方の整風板の詳細図である。
【図３Ｂ】図１に示す他方の整風板の詳細図である。
【図４】図１に示す車両空調システムの他の例における概略構成を示す図である。
【図５】図１及び図４に示す車両空調システムにおいて、吹出口及び吸引口の配置可能位置を説明するための図である。
【図６】実施形態２の車両空調システムの一例における概略構成を示す図である。
【図７】図６に示す車両空調システムの変形例を示す図である。
【図８】従来の一般的な車両空調システムの一例における概略構成を示す図である。
【図９】図８に示す断面Ａにおける断面図である。
【図１０】図８に示す空調装置の平面図であり、概略構成を示す図である。
【図１１】従来の一般的な車両空調システムの他の例における概略構成を示す図である。
【図１２】図１１に示す断面Ａにおける断面図である。
【図１３】図１１に示す断面Ｂにおける断面図である。
【発明を実施するための形態】
【００１３】
実施形態である車両空調システム及びこれを備えた鉄道車両について、図を参照しながら以下に説明する。尚、各図において、同一又は同様の構成部分については同じ符号を付している。また、以下の説明が不必要に冗長になるのを避け当業者の理解を容易にするため、既によく知られた事項の詳細説明及び実質的に同一の構成に対する重複説明を省略する場合がある。また、以下の説明及び添付図面の内容は、特許請求の範囲に記載の主題を限定することを意図するものではない。
また、以下に説明する実施の形態では、当該車両空調システムを備える車体として鉄道車両を例に採るが、実施形態における車両空調システムは、鉄道車両に限定されず、航空機、船舶、バスなどの大型車両等にも適用することが可能である。
【００１４】
まず、図８から図１３を参照して、鉄道車両１における従来からの一般的な車両空調システム５０、５１の全体構成について、その概略を説明する。
車両空調システム５０、５１は、冷房及び暖房によって客室の車内温度を一定に維持するシステムであり、大きく分けて、空調装置３０とダクト４０とを備える。ここで空調装置３０は、客室内空気２を吸引し温度調整した調和空気３を送出する装置であり、図１０に示すように、客室内空気２の吸引口３１、温度調整用の熱交換器３２、ブロワー３３、及びブロワー駆動用モータ３４を有する。また空調装置３０の構造は、空調装置３０の上述の機能を満足する限りこれらの構成に限定するものではない。
ダクト４０は、空調装置３０に接続された空胴体であり、図９に示すように車幅方向４における車体の左右にて車長方向５に沿って設置され、調和空気３を客室である車内へ吹き出す吹出口を有する。尚、ダクト４０の形状は特に限定されないが、空調装置３０からの距離に応じて、車長方向５に垂直な断面における断面積を変化させてもよく、かかる場合、一方の空調装置３０に接続されたダクト４０と他方の空調装置３０に接続されたダクト４０との断面積の和は、略一定に保たれるように変化させることが好ましい。
【００１５】
図８では、鉄道車両１の客室天井部１ａに、空調装置３０及びダクト４０を配置した車両空調システム５０の例を示している。尚、図８では、鉄道車両１の前後端部のそれぞれに、空調装置３０及びダクト４０のセットを設け、ダクト４０を車長方向５の前後に分割した構成を示すが、車両全長５に亘ってダクト４０を配置してもよく、空調装置３０の設置位置を車長方向５の中央寄りとしてもよい。また、前後端部のいずれか一方のみに空調装置３０を設け車両全長に渡りダクト４０を配置した構成、あるいは車長方向５の中央寄りに空調装置３０を設け、空調装置３０を挟んで前後方向にダクト４０を配置した構成を採ることもできる。
【００１６】
また、図１１から図１３では、鉄道車両１の床下部分１ｂに空調装置３０を配置した車両空調システム５１の例を示している。この例では、ダクト４０は、床下ダクト４１、床中ダクト４２、立上ダクト４３、天井ダクト４４、及び戻しダクト４５を有する。ここで、床下ダクト４１は、床下部分１ｂにある空調装置３０に接続され、空調装置３０から吐出した調和空気３を床中ダクト４２へ供給する。床中ダクト４２は、車幅方向４における車体左右両側にて車体の床中に配置され、それぞれ車長方向５へ延在する。立上ダクト４３は、床中ダクト４２に接続され、車体の左右側構体７に沿って車体天井へ立ち上げられている。ここで立上ダクト４３は、車長方向５において規定の間隔毎に配置されている。天井ダクト４４は、天井部１ａにて車体左右両側に配置され、それぞれの立上ダクト４３に接続されてそれぞれ車長方向５に延在する。また、各天井ダクト４４は、空調装置３０から床下ダクト４１、床中ダクト４２、立上ダクト４３を介して供給された調和空気３を客室車内へ吹き出す吹出口を有している。
【００１７】
また戻しダクト４５は、車体床を貫通して客室内空気２を、床下部分１ｂにある空調装置３０へ導くダクトであり、客室内の座席床部分に、客室内空気２を吸引するための吸引口４５ａを有する。
【００１８】
実施の形態１：
本実施形態の車両空調システムも、基本的には、上述した車両空調システム５０又は車両空調システム５１の構成を採るが、以下に説明する特徴的な構成を有する点で車両空調システム５０、５１とは相違する。
【００１９】
即ち、図１に示すように本実施形態の車両空調システム１０１は、車幅方向４において通路９を挟んで左右で座席数が異なることによって、車体中心位置１０と通路中心位置１１とが異なる車体１に設置される。尚、本実施形態では、図示のように車幅方向４において通路９を挟んだ左右の客室座席数が３列、２列の座席６の場合を例に採るが、座席数をこれに限定するものではなく、例えば２列、１列であってもよい。尚、各座席６は、車長方向５に沿って複数配置されている。また、車両空調システム１０１においても、上述の構成を有する空調装置３０を備えている。尚、この車両空調システム１０１では、図８に示す構成と同様に、車長方向５における車体両端部分の天井部１ａに空調装置３０をそれぞれ配置し、各空調装置３０からダクト４０が天井部１ａを車長方向５に延在している。ダクト４０は、車幅方向４における両側に設置されており、各空調装置３０は、両側のダクト４０に略均等に調和空気３を吐出する。
【００２０】
このような構成を有する車両空調システム１０１は、特徴的な構成部分として、第１及び第２の吹出口１１１，１１２と、整風部材１２０とを有する。
第１及び第２の吹出口１１１，１１２は、各空調装置３０から延在する左右それぞれのダクト４０に設けられ、空調装置３０からの調和空気３を客室内へ吹き出す開口部であり、左右の各ダクト４０に沿って車長方向５に連続して開口している。ここでは説明の便宜上、３列の座席側に対応して第１吹出口１１１、２列の座席側に対応して第２吹出口１１２とする。第１吹出口１１１及び第２吹出口１１２は、車体中心位置１０に対して車幅方向４において左右対称位置に配置され、それぞれ同程度の風量の調和空気３を客室内へ送り出す。
【００２１】
このように本実施形態の車両空調システム１０１では、車幅方向４における左右側において、空調装置３０の構造を異ならせること、あるいはダクト４０の構造を異ならせることは行っておらず、かつ、第１及び第２の吹出口１１１，１１２から均等もしくは略均等に調和空気３を吐出する。
したがって、本実施形態の車両空調システム１０１では、空調関係の製造部品種類の増加、及び施工時において左右での取り付けミス発生を抑制することができ、また仮に取り付けミスが発生しても、客室内から容易に交換が可能である。また、騒音発生、別個の制御追加の発生もない。よって車両空調システム１０１は、コスト、性能、及び設置スペースの観点において有利なシステムである。
【００２２】
整風部材１２０は、図２に示すように、第１及び第２の吹出口１１１，１１２から吹き出される各気流３ａ、３ｂの合流位置１１５を、車体中心位置１０と通路中心位置１１とを結ぶ線分を内分する位置に設定する部材である。ここでは、第１吹出口１１１から客室へ吹き出される気流を気流３ａ、第２吹出口１１２から客室へ吹き出される気流を気流３ｂとしている。また、合流位置１１５は、車体中心位置１０と通路中心位置１１とを結ぶ線分を、本実施形態では例えば２０：８０〜８６：１４の比に内分する位置である。
このような作用を行う整風部材１２０を設けることで、第１及び第２の吹出口１１１，１１２から客室へ吹き出される各気流３ａ、３ｂは、客室内の通路９の領域で下降気流となり下向きに流れる。
また本実施形態では、整風部材１２０は、第１及び第２の吹出口１１１，１１２に取り付けた整風板１２１、１２２が相当する。整風板１２１、１２２は、短冊状の板材であり、第１及び第２の吹出口１１１，１１２に車長方向５に沿って連続して延在する。
【００２３】
整風板１２１、１２２によって合流位置１１５を上述の内分位置に設定するために、本実施形態では、図３Ａ及び図３Ｂに示すように、整風板１２１、１２２はそれぞれ、客室内の合流位置１１５に向けて配向され、かつ整風板１２１、１２２の水平方向に対する角度を、第１吹出口１１１と第２吹出口１１２とで異ならせている。つまり、第１吹出口１１１に設けた整風板１２１は、水平方向に対して角度θ１の傾斜で配向し、第２吹出口１１２に設けた整風板１２２は、水平方向に対して角度θ２の傾斜で配向している。尚、天井面は水平であってもよいし、水平面に対して傾斜していてもよい。図３Ａ及び図３Ｂでは、天井面が傾斜している場合を示している。
【００２４】
本実施形態では、第１及び第２の吹出口１１１，１１２が車体中心位置１０から車幅方向４に約１ｍ間隔の位置に設置される場合において、角度θ１は、例えば１７度から２２度であり、一実施例として約２０度に設定しており、角度θ２は、例えば２７度から４１度であり、一実施例として約３０度に設定している。勿論、車幅方向４における車体中心位置１０からの第１及び第２の吹出口１１１，１１２の設置位置が変われば、相応して角度θ１、θ２も変更される。
また、一実施例として整風板１２１、１２２の、気流３ａ，３ｂの吹き出し方向に沿った長さＬ（図３Ａ）は、約２０ｍｍ、板厚ｔ（図３Ａ）は約３ｍｍである。
【００２５】
このように本実施形態では、第１及び第２の吹出口１１１，１１２に整風板１２１、１２２を備えたことで、第１及び第２の吹出口１１１，１１２から客室へ吹き出される各気流３ａ，３ｂの合流位置１１５を、上述のように車体中心位置１０と通路中心位置１１とを結ぶ線分を上述の比に内分する位置に設定でき、例えば車体中心位置１０からわずかに通路中心位置１１側へ配置することができる。既に説明したように、従来、比較的、３列側座席における通路９側の乗客に気流があたる傾向があったが、本実施形態の車両空調システム１０１によれば、このような傾向は改善され、左右いずれの通路側座席の乗客にも、直接調和空気は当たらず、不快感の発生を防止することができる。
【００２６】
尚、本実施形態では、整風板１２１、１２２は、第１及び第２の吹出口１１１，１１２に対して客室内側へ突出した形態にて設置しているが、突出させることなく第１及び第２の吹出口１１１，１１２内に設置してもよい。また、第１及び第２の吹出口１１１，１１２と、整風板１２１、１２２とを一体で成型して構成してもよい。
【００２７】
さらに、合流位置１１５を上述の内分位置に設定するため、本実施形態では上述のように角度θ１、θ２を変化させたが、これに限定されず、整風板１２１、１２２における上述の角度、長さＬ、厚みｔ、及び枚数の少なくとも一つのパラメータを変化させてもよい。
【００２８】
また、図４に示すように、空調装置３０を客室天井部１ａではなく床下部分１ｂに設置してもよい。この場合、空調装置３０から吐出された調和空気３は、既に説明したように床下ダクト４１、床中ダクト４２、立上ダクト４３、及び天井ダクト４４を介して、天井ダクト４４に設けた第１及び第２の吹出口１１１，１１２から整風板１２１、１２２を通り客室内へ吹き出される。また、客室内空気２は、座席６の床部分に設けた吸引口４５ａから吸引され、戻しダクト４５を介して空調装置３０へ戻される。
【００２９】
さらにまた、第１及び第２の吹出口１１１，１１２は、図５に示すように客室天井部１ａにおいて、座席６の上方から各荷棚８の上面に至る吹出口区間１１６内で、車体中心位置１０に対して左右対称位置に配置することができる。ここで各荷棚８は、車幅方向４における車体１の左右側構体７に客室に向けて突出し車長方向５に延在して設置される。また、床下部分１ｂに空調装置３０を設置した場合、吸引口４５ａにおいても、座席６の通路９側から窓側に至る吸引口区間１１７内の位置に配置することができる。
吸引口区間１１７に吸引口４５ａを配置する場合には、例えば、通路中心位置１１に対して等距離もしくは略等距離の位置に配置する。これは、通路中心位置１１から見た車体左右両側における吸引力を等しくすることにより、調和空気の気流位置を通路中心位置１１とするためである。
【００３０】
以上説明したように本実施形態１の車両空調システム１０１によれば、空調装置３０及びダクト４０関連の構成部分は、左右における各構成を変更せず同一構成としていることから、既に説明したようにコスト、性能、及び設置スペースの観点において有利な構成となっている。その上で、整風部材１２０を設けるだけで、乗客に直接調和空気を当てず不快感の発生を防止することが可能となる。
【００３１】
実施の形態２：
上述の実施形態１では、整風部材１２０として整風板１２１、１２２を用いた例を説明した。一方、本実施の形態２の車両空調システム１０２では、整風部材１２０として荷棚８を利用する形態を説明する。また、本実施の形態２の車両空調システム１０２では、空調装置３０は床下部分１ｂに配置され、第１及び第２の吹出口１１１，１１２は、図６に示すように、荷棚８の下面に対応して車体１の左右側構体７に設置される。また、客室内空気２を吸引する吸引口４５ａは、座席６の床部分に設けられる。このとき吸引口４５ａは、例えば上述のように、通路中心位置１１に対して等距離もしくは略等距離の位置に配置することができる。尚、第１及び第２の吹出口１１１，１１２は、車長方向５において、図１１に示すように規定の間隔で設置される立上ダクト４３に対応して立上ダクト４３毎に配置してもよいし、立上ダクト４３毎の吹出口を車長方向５において互いに連通して連続的に配置してもよい。
車両空調システム１０２におけるその他の構成部分は、上述の車両空調システム１０１の場合と変わらない。よって、同じ構成部分について、ここでの説明は省略する。
【００３２】
本実施の形態２の車両空調システム１０２では、整風部材１２０は、車幅方向４における左右の各荷棚８が相当し、一方の荷棚８は、他方の荷棚８と異なる形状の下面を有する。本実施形態２では、図６に示すように、整風部材１２０は一方の荷棚８１であり、この荷棚８１は、他方の荷棚８２の下面とは異なる下面１３０を有する。ここで荷棚８１は、車幅方向４において通路中心位置１１とは反対側に位置する荷棚８が相当する。
【００３３】
荷棚８１は、車幅方向４における断面が、左右側構体７への取付部である荷棚８１の基部８１ａから荷棚８１の先端８１ｂに向けて、その厚みを徐々に大きくするくさび形断面の下面１３０を有する。また、荷棚８１の下面１３０は、車長方向５に沿って連続して荷棚８１に設けている。
【００３４】
このように、整風部材１２０として荷棚８１の下面１３０を用いることで、実施の形態１において図２を参照して説明した場合と同様に、第１及び第２の吹出口１１１，１１２から吹き出される各気流３ａ、３ｂの合流位置１１５を、車体中心位置１０と通路中心位置１１とを結ぶ線分を内分する位置、例えば上述のように、２０：８０〜８６：１４の比に内分する位置に設定することができる。
したがって、本実施形態２の車両空調システム１０２においても、左右いずれの通路側座席の乗客にも、直接調和空気３は当たらず、不快感の発生を防止することができる。
【００３５】
上述のように本実施形態２では、整風部材１２０としての下面１３０は、通路中心位置１１とは反対側に位置する荷棚８１の下面であるが、合流位置１１５を上述の内分位置に設定するために、通路中心位置１１側に位置する荷棚８２も、荷棚８１の下面１３０とは異なる下面を有しても良い。
【００３６】
さらにまた、上述では、荷棚８１の下面全体を整風部材１２０とした形態を説明したが、図７に示すように、荷棚８１の先端８１ｂの下面にのみ、下方へ突出する突起１３１を整風部材１２０として形成してもよい。突起１３１は、荷棚８１の下面に沿って車長方向５に連続して形成されている。
【００３７】
このような突起１３１によっても、第１及び第２の吹出口１１１，１１２から客室内へ吹き出される各気流３ａ、３ｂの合流位置１１５を、車体中心位置１０と通路中心位置１１とを結ぶ線分を内分する位置、例えば上述のように、２０：８０〜８６：１４の比に内分する位置に設定することができる。よって、左右いずれの通路側座席の乗客にも、直接調和空気３は当たらず、不快感の発生を防止することができる。
尚、上述の下面１３０及び突起１３１は、荷棚８１と別体で形成してもよいし、荷棚８１と一体で成型してもよい。
また、実施の形態１で説明したように、客室内空気２を吸引する吸引口４５ａは、座席６の床部分において座席６の通路９側から窓側に至る吸引口区間１１７内の位置に配置することができる。またこの場合、吸引口４５ａは、例えば上述のように、通路中心位置１１から等距離もしくは略等距離となる座席６の下部に配置することができる。
【００３８】
また、図６に示すような、第１及び第２の吹出口１１１，１１２が荷棚８の下面に対応して車体１の左右側構体７に設置され、客室内空気２を吸引する吸引口４５ａが座席６の床部分に設けられる構成において、上述の下面１３０及び突起１３１の構成の代わりに、実施の形態１で説明した整風板１２１、１２２を第１及び第２の吹出口１１１，１１２に設置してもよい。
このような構成においても、上述と同様の効果を得ることが可能である。
【００３９】
また、上述の実施の形態では、通路９が一つの場合について説明したが、これに限られず、航空機や船舶等、２つ以上の通路を備える車両に適用可能であり、各通路中心位置１１と車体中心位置１０とを結ぶ線分を内分する位置に気流が合流するように整風部材１２０を備えればよい。
【産業上の利用可能性】
【００４０】
本発明は、例えば鉄道車両、航空機、船舶、バスなどの大型車両等における車両空調システム、及びこれを備えた鉄道車両に適用可能である。
【符号の説明】
【００４１】
１…車体、１ａ…客室天井部、２…客室内空気、３…調和空気、４…車幅方向、
５…車長方向、６…座席、７…左右側構体、８…荷棚、１０…車体中心位置、
１１…通路中心位置、３０…空調装置、４５ａ…吸引口、
１０１，１０２…車両空調システム、１１１…第１吹出口、１１２…第２吹出口、
１１５…合流位置、１２０…整風部材、１２１，１２２…整風板、
１３０…下面、１３１…突起。
【図１】
2014125166.tif 000003
【図２】
2014125166.tif 000004
【図３Ａ】
2014125166.tif 000005
【図３Ｂ】
2014125166.tif 000006
【図４】
2014125166.tif 000007
【図５】
2014125166.tif 000008
【図６】
2014125166.tif 000009
【図７】
2014125166.tif 000010
【図８】
2014125166.tif 000011
【図９】
2014125166.tif 000012
【図１０】
2014125166.tif 000013
【図１１】
2014125166.tif 000014
【図１２】
2014125166.tif 000015
【図１３】
2014125166.tif 000016